(57)【要約】【課題】  記録密度の高いディスクであっても、正常に再生を行なうことが出来るディスク再生装置を提供する。【解決手段】  本発明のディスク再生装置は、再生信号を位相同期用二値化レベルと比較して二値化信号を生成する位相同期用二値化回路３、該二値化信号のパルス幅を検出する第１計数回路41、再生信号を前記二値化レベルとは異なる二値化レベルと比較して二値化信号を生成する二値化回路43、該二値化信号のパルス幅を検出する第２計数回路44、第１計数回路41及び第２計数回路42から得られるパルス幅の差が所定値以下である場合に限って第１計数回路41から得られたパルス幅を出力する比較回路42、及び比較回路42から出力された複数のパルス幅の中から最大値或いは最小値を検出する検出回路45を具えている。【選択図】      図２
2006302336.tif 000002
【特許請求の範囲】
【請求項１】
ディスクから再生された信号を位相同期用二値化レベルと比較して二値化信号を生成する位相同期用二値化回路と、生成された二値化信号に位相が同期する同期信号を生成する同期信号生成回路とを具えたディスク再生装置において、
再生信号を前記位相同期用二値化レベルとは異なる二値化レベルと比較して二値化信号を生成する１或いは複数の二値化手段と、
前記位相同期用二値化回路によって生成された二値化信号のパルス幅を検出する第１パルス幅検出手段と、
前記１或いは複数の二値化手段によって生成された１或いは複数の二値化信号のパルス幅を検出する１或いは複数の第２パルス幅検出手段と、
前記第１パルス幅検出手段から得られるパルス幅と前記１或いは複数の第２パルス幅検出手段から得られるパルス幅とを比較し、両パルス幅の差が所定値以下である場合に限って、前記第１パルス幅検出手段から得られたパルス幅を出力するパルス幅出力手段と、
前記パルス幅出力手段から出力された複数のパルス幅の中から最大値或いは最小値を検出する値検出手段
とを具えていることを特徴とするディスク再生装置。
【請求項２】
前記二値化手段は１つであると共に前記第２パルス幅検出手段は１つであって、前記パルス幅出力手段は、前記第１パルス幅検出手段から得られるパルス幅と第２パルス幅検出手段から得られるパルス幅とを比較し、両パルス幅の差が所定値以下である場合に限って、前記第１パルス幅検出手段から得られたパルス幅を出力する請求項１に記載のディスク再生装置。
【請求項３】
前記位相同期用二値化レベルは、生成される二値化信号を構成する２つの値の割合が略等しくなる値に設定されている請求項２に記載のディスク再生装置。
【請求項４】
再生信号の振幅を検出する振幅検出手段を具えており、前記二値化手段は、検出された振幅に応じて二値化レベルを変化させる請求項２又は請求項３に記載のディスク再生装置。
【請求項５】
前記二値化手段は２つであると共に前記第２パルス幅検出手段は２つであって、前記パルス幅出力手段は、前記第１パルス幅検出手段から得られるパルス幅と一方の第２パルス幅検出手段から得られるパルス幅とを比較すると共に、前記第１パルス幅検出手段から得られるパルス幅と他方の第２パルス幅検出手段から得られるパルス幅とを比較し、前記第１パルス幅検出手段から得られるパルス幅と前記一方の第２パルス幅検出手段から得られるパルス幅との差が所定値以下であって、且つ、前記第１パルス幅検出手段から得られるパルス幅と前記他方の第２パルス幅検出手段から得られるパルス幅との差が所定値以下である場合に限って、前記第１パルス幅検出手段から得られたパルス幅を出力する請求項１に記載のディスク再生装置。
【請求項６】
前記位相同期用二値化レベルは、生成される二値化信号を構成する２つの値の割合が略等しくなる値に設定されており、２つの二値化手段の内、一方の二値化手段の二値化レベルは前記位相同期用二値化レベルよりも大きな値に設定され、他方の二値化手段の二値化レベルは前記位相同期用二値化レベルよりも小さな値に設定されている請求項５に記載のディスク再生装置。
【請求項７】
前記位相同期用二値化レベルと前記一方の二値化手段の二値化レベルの差と、前記位相同期用二値化レベルと前記他方の二値化手段の二値化レベルの差は同一である請求項６に記載のディスク再生装置。
【請求項８】
再生信号の振幅を検出する振幅検出手段を具えており、前記２つの二値化手段は、検出された振幅に応じて二値化レベルを変化させる請求項６又は請求項７の何れかに記載のディスク再生装置。
【請求項９】
再生信号に現われる上下のピーク値の内、上側のピーク値を検出する上側ピーク値検出手段と、下側のピーク値を検出する下側ピーク値検出手段とを具え、前記一方の二値化手段は、検出された上側ピーク値と前記位相同期用二値化レベルとの差に応じて二値化レベルを変化させ、前記他方の二値化手段は、検出された下側ピーク値と前記位相同期用二値化レベルとの差に応じて二値化レベルを変化させる請求項６に記載のディスク再生装置。
【発明の詳細な説明】
【技術分野】
【０００１】
本発明は、ディスクから信号を再生するディスク再生装置に関するものである。
【背景技術】
【０００２】
従来のディスク再生装置においては、ディスクから再生された信号が“０”及び“１”の値からなる二値化信号に変換され、該二値化信号の立上り及び立下りのエッジと同期クロックの位相とを比較することによって、再生信号の周波数と同期クロックの周波数を一致させると共に再生信号と同期クロックの位相を一致させる周波数引込み及び位相同期の確立が行なわれる。しかし、位相の比較によって周波数引込み及び位相同期の確立が可能な範囲は、正規の引込み周波数に対して±３％程度であるため、再生信号の周波数が正規の引込み周波数から該範囲を超えてずれている場合には、周波数引込み及び位相同期の確立を行なうことが出来ず、正常に再生を行なうことが出来なかった。
【０００３】
そこで、上述の如く再生信号を二値化して得られる二値化信号のパルス幅はピットが形成されているマーク部及びピットが形成されていないスペース部の長さに応じて変化することから、二値化信号のパルス幅の最大値或いは最小値を検出し、その検出値が所定値となる様にディスクモータの回転速度を制御することによって再生信号の周波数を周波数引込み及び位相同期の確立が可能な範囲内に設定することが行なわれている。
例えば、二値化信号のエッジ間で固定クロックをカウントすることにより二値化信号のパルス幅を検出し、その検出値が所定値となる様にディスクモータの回転速度を制御する方法が知られている(特許文献１参照)。
【０００４】
図９は、上記方法により再生信号の周波数を周波数引込み及び位相同期の確立が可能な範囲内に設定するディスク再生装置の構成を表わしている。
該ディスク再生装置においては、ディスク(１)に記録されている信号は、光ピックアップ(２)によって再生信号として読み出され、該再生信号は二値化回路(30)に供給されて、“０”及び“１”からなる二値化信号に変換された後、パターン検出回路(40)に供給されると共にＰＬＬ回路(図示省略)からなる位相同期回路(５)に供給される。
【０００５】
パターン検出回路(40)では、外部から供給されるカウントクロックに基づいて二値化信号のパルス幅の最大値が検出され、該検出値がモータ制御回路(６)に供給される。モータ制御回路(６)は、その検出値が所定値となる様にディスクモータ(60)の回転速度を制御する。この様にして、線速度が適切な速度に設定されて、再生信号の周波数が周波数引込み及び位相同期の確立が可能な範囲内に設定されることになる。
【０００６】
位相同期回路(５)では、二値化回路(30)からの二値化信号のエッジと同期クロックの位相とを比較することにより、再生信号の周波数と同じ周波数を有すると共に位相が一致する同期クロックが生成され、生成された同期クロックは、信号再生系を構成する回路(図示省略)に供給される。この様にして、周波数引込み及び位相同期の確立が行なわれる。
【０００７】
図１０は、上記二値化回路(30)の構成を表わしている。該二値化回路(30)は、再生信号が入力されるべき再生信号入力端子(31)及び二値化信号を出力すべき二値化信号出力端子(32)を具えており、該入力端子(31)にはコンデンサＣを介してコンパレータ(33)の一方の入力端子が接続されている。コンデンサＣと該入力端子との間には、抵抗器Ｒが接続されており、該抵抗器Ｒには、電源電圧Ｖｃｃの１／２倍の電圧が印加されている。
コンパレータ(33)の出力端子は、前記二値化信号出力端子(32)に接続されており、これらの端子間には、抵抗器Ｒ及びコンデンサＣからなるローパスフィルタ(34)が接続されている。ローパスフィルタ(34)には、バッファ(35)を介して反転増幅器(36)が接続されている。該反転増幅器(36)は、３つの抵抗器Ｒ１〜Ｒ３及び比較器(360)を具えており、抵抗器Ｒ３には、電源電圧Ｖｃｃの１／２倍の電圧が印加されている。そして、比較器(360)の出力端子が、上記コンパレータ(33)の他方の入力端子に接続されている。
【０００８】
再生信号入力端子(31)から入力された再生信号はコンパレータ(33)に入力され、コンパレータ(33)では、該再生信号と後述の如く反転増幅器(36)から入力されるスライスレベルとが比較されて二値化信号が生成され、該二値化信号は二値化信号出力端子(32)から後段の位相同期回路及びパターン検出回路に出力されると共にローパスフィルタ(34)に供給される。ローパスフィルタ(34)からは、二値化信号の平均値が得られ、該平均値はバッファ(35)を経て反転増幅器(36)に供給され、反転増幅処理を受ける。これによって得られるスライスレベルが前記コンパレータ(33)に入力される。
上記二値化回路(30)においては、再生信号を二値化する際に該再生信号と比較するスライスレベルが、二値化信号を構成する“０”と“１”の値の割合が略等しくなる値に自動的に設定される。
図１２(ａ)に示す如く変化する再生信号は、スライスレベルＳＬと比較されて、同図(ｂ)に示す如く、ディスクに形成されているマーク部及びスペース部の長さに応じた時間幅で反転する二値化信号に変換される。尚、ＣＤの場合、二値化信号は、記録時のクロック周期をＴとして、３Ｔ〜１１Ｔの時間幅で反転し、ＤＶＤの場合には、３Ｔ〜１４Ｔの時間幅で反転する。
【０００９】
図１１は、上記パターン検出回路(40)の構成を表わしており、上記二値化回路(30)から得られる二値化信号は計数回路(46)に供給される。又、計数回路(46)には、図１２(ｃ)に示す如く記録時のクロック周期Ｔで変動するカウントクロックが供給され、該計数回路(46)では、前記二値化信号のエッジ間で供給されるカウントクロック数がカウントされる。これによって、計数回路(46)からは、二値化信号が反転する時点で、図１２(ｄ)に示す如く二値化信号のパルス幅に応じたカウント値が得られ、該カウント値は最大値検出回路(47)に供給される。最大値検出回路(47)では、計数回路(46)から所定時間内に得られるカウント値の中から最大値が検出され、検出された最大値は、上述の如くモータ制御回路に供給されてモータの回転速度の制御に供される。
【００１０】
尚、再生信号の周波数を周波数引込み及び位相同期の確立が可能な範囲に設定する方法として、上述の如く得られた最大カウント値が同期クロックの所定クロック数と一致する様に、位相同期回路(５)を構成するＶＣＯ(Voltage  Controlled  Oscilator)の周波数を制御する方法も知られている。
【００１１】
ところで、近年、高ビットレートで高精細な画像を長時間に亘ってディスクに記録するべく、光ディスクの大容量化及び高転送レート化が急速に進んできている。従来、光ディスクの大容量化は、レーザ光の波長を短くすることによって、或いは集光レンズの開口率(Numerical  Aperture)を高めることによって図られてきたが、最近では、ＰＲＭＬ(Partial  Response  Maximum  Likelihood)方式と称される再生信号処理方式の採用によって、更に高密度での記録を実現することが可能となっている。該方式により再生が可能なディスクとして、例えばＨＤ−ＤＶＤ(High  Density  Digital  Versatile  Disc)が知られている。
【００１２】
図１３は、ＭＴＦ(Modulation  Transfer  Function)を表わしており、図示の如く空間周波数が高くなるにつれて再生信号の振幅は低下する。記録密度が低くピット長の長いＣＤやＤＶＤについては、空間周波数が低いため大きな振幅が得られるが、記録密度が高くピット長の短いＨＤ−ＤＶＤについては、空間周波数が高いため、特に最短ピット長での振幅が小さくなる。
【００１３】
【特許文献１】特許第３４３４４２１号明細書
【発明の開示】
【発明が解決しようとする課題】
【００１４】
上記従来のディスク再生装置においては、ＣＤやＤＶＤの再生時には、図１２(ａ)に示す如く、ディスクに形成されているマーク部の長さ及びスペース部の長さに拘わらず、再生信号はスライスレベルＳＬを交差しているが、ＨＤ−ＤＶＤ等の記録密度の高いディスクの再生時には、上述の如く再生信号の振幅が小さくなると共に符号間干渉が起こるため、図１４(ａ)に示す如く最短のマーク部或いはスペース部で再生信号がスライスレベルＳＬを交差しない事態が発生する場合がある。かかる場合、該マーク部或いはスペース部で二値化信号が反転しないため、該マーク部或いはスペース部付近でのパルス幅が最大値として検出されることがある。図１４に示す例では、最長のマーク部或いはスペース部に対応するパルス幅は“１３”であるにも拘わらず、“１６”が検出されることになる。この様に、最長のマーク部或いはスペース部に対応するパルス幅でないパルス幅に基づいてディスクモータの回転速度が制御されるので、再生信号の周波数を周波数引込み及び位相同期の確立が可能な範囲内に設定することが出来ず、正常に再生を行なうことが出来ない問題があった。
本発明の目的は、記録密度の高いディスクであっても、正常に再生を行なうことが出来るディスク再生装置を提供することである。
【課題を解決するための手段】
【００１５】
本発明に係るディスク再生装置は、ディスクから再生された信号を位相同期用二値化レベルと比較して二値化信号を生成する位相同期用二値化回路と、生成された二値化信号に位相が同期する同期信号を生成する同期信号生成回路とを具えている。そして、該ディスク再生装置は、
再生信号を前記位相同期用二値化レベルとは異なる二値化レベルと比較して二値化信号を生成する１或いは複数の二値化手段と、
前記位相同期用二値化回路によって生成された二値化信号のパルス幅を検出する第１パルス幅検出手段と、
前記１或いは複数の二値化手段によって生成された１或いは複数の二値化信号のパルス幅を検出する１或いは複数の第２パルス幅検出手段と、
前記第１パルス幅検出手段から得られるパルス幅と前記１或いは複数の第２パルス幅検出手段から得られるパルス幅とを比較し、両パルス幅の差が所定値以下である場合に限って、前記第１パルス幅検出手段から得られたパルス幅を出力するパルス幅出力手段と、
前記パルス幅出力手段から出力された複数のパルス幅の中から最大値或いは最小値を検出する値検出手段
とを具えている。
【００１６】
ディスクに形成されている最短のマーク部或いはスペース部で再生信号が位相同期用二値化レベルを交差しない事態が発生した場合、前記第１パルス幅検出手段から得られるパルス幅と前記１或いは複数の第２パルス幅検出手段から得られるパルス幅との差は大きくなる。
そこで、上記本発明に係るディスク再生装置においては、前記第１パルス幅検出手段から得られるパルス幅が前記１或いは複数の第２パルス幅検出手段から対応する時間帯に得られるパルス幅と比較され、両パルス幅の差が所定値を上回る場合には、前記第１パルス幅検出手段から得られたパルス幅は値検出手段に出力されず、該パルス幅は最大値或いは最小値を検出する処理の対象にされない。従って、該パルス幅が最大値或いは最小値として検出されることはなく、最長或いは最短のマーク部或いはスペース部に対応するパルス幅を最大値或いは最小値として検出することが出来る。
従って、検出された最大値或いは最小値に基づいて、例えばディスクモータの回転速度を制御すれば、再生信号の周波数を周波数引込み及び位相同期の確立が可能な範囲内に設定することが出来る。
【発明の効果】
【００１７】
本発明に係るディスク再生装置によれば、記録密度の高いディスクであっても、正常に再生を行なうことが出来る。
【発明を実施するための最良の形態】
【００１８】
以下、本発明の実施の形態につき、図面に沿って具体的に説明する。
第１実施例
本実施例に係るディスク再生装置は、図１に示す如く、ディスク(１)から光学的に信号を読み取るための光ピックアップ(２)を具えており、光ピックアップ(２)から得られる再生信号は、位相同期用二値化回路(３)及びパターン検出回路(４)に供給される。位相同期用二値化回路(３)では、供給された再生信号が“０”及び“１”の値からなる二値化信号に変換され、該二値化信号は、パターン検出回路(４)に供給されると共に、ＰＬＬ回路(図示省略)からなる位相同期回路(５)に供給される。
【００１９】
前記パターン検出回路(４)では、外部から供給されるカウントクロック及び前記再生信号に基づいて二値化信号のパルス幅の最大値が検出され、該検出値がモータ制御回路(６)に供給される。モータ制御回路(６)は、その検出値が所定値となる様にディスクモータ(60)の回転を制御する。この様にして、線速度が適切な速度に設定されて、再生信号の周波数が周波数引込み及び位相同期の確立が可能な範囲内に設定されることになる。
【００２０】
前記位相同期回路(５)では、前記位相同期用二値化回路(３)からの二値化信号のエッジと同期クロックの位相とを比較することにより、再生信号の周波数と同じ周波数を有すると共に位相が一致する同期クロックが生成され、信号再生系を構成する回路(図示省略)に供給される。この様にして、周波数引込み及び位相同期の確立が行なわれる。
【００２１】
上記位相同期用二値化回路(３)は、図１０に示す従来の二値化回路(30)と同じ構成を有しており、該位相同期用二値化回路(３)においては、二値化信号を構成する“０”と“１”の値の割合が略等しくなる様、位相同期用スライスレベルＳＬ０が算出され、再生信号が該スライスレベルＳＬ０と比較されて二値化信号が生成される。
【００２２】
図２は、上記パターン検出回路(４)の構成を表わしており、上述の如く位相同期用二値化回路(３)から得られる二値化信号は、第１計数回路(41)に入力される。第１計数回路(41)には、外部から図３(ｂ)に示す如く固定クロック周期Ｔのカウントクロックが供給され、該第１計数回路(41)では、前記二値化信号のエッジ間で供給されるカウントクロック数がカウントされる。これによって、同図(ａ)(ｃ)に示す如く再生信号が位相同期用スライスレベルＳＬ０を交差する時点で、前記二値化信号のパルス幅に応じたカウント値Ｃ１が得られ、該カウント値Ｃ１は比較回路(42)に供給される。
【００２３】
又、光ピックアップからの再生信号が、パターン検出用二値化回路(43)に入力される。該パターン検出用二値化回路(43)においては、再生信号がパターン検出用スライスレベルＳＬ１と比較されて“０”及び“１”の値からなる二値化信号が生成される。ここで、該スライスレベルＳＬ１は、図３(ａ)に示す如く前記位相同期用スライスレベルＳＬ０よりも小さな値に設定されており、例えば、前記位相同期用スライスレベルＳＬ０と再生信号の最低レベルとの差の２５％だけ小さな値に設定される。尚、パターン検出用スライスレベルＳＬ１は、前記位相同期用スライスレベルＳＬ０よりも大きな値に設定することも可能である。
パターン検出用二値化回路(43)から得られる二値化信号は、第２計数回路(44)に供給される。第２計数回路(44)には、外部から図３(ｂ)に示す如く固定クロック周期Ｔのカウントクロックが供給され、該第２計数回路(44)では、該二値化信号のエッジ間で供給されるカウントクロック数がカウントされる。これによって、同図(ａ)(ｄ)に示す如く再生信号が前記パターン検出用スライスレベルＳＬ１を交差する時点で、前記二値化信号のパルス幅に応じたカウント値Ｃ２が得られ、該カウント値Ｃ２は前記比較回路(42)に供給される。
【００２４】
比較回路(42)では、上述の如く第１計数回路(41)及び第２計数回路(44)から同じ時間帯に供給されるカウント値Ｃ１、Ｃ２が比較される。例えば、第１計数回路(41)からのカウント値Ｃ１が得られた時点で、該カウント値Ｃ１が、その時点で第２計数回路(44)から得られているカウント値Ｃ２と比較される。
そして、前記両カウント値の差が所定値、例えば１以下である場合に、第１計数回路(41)から供給されるカウント値Ｃ１が最大値検出回路(45)に出力される一方、両カウント値の差が前記所定値を上回る場合には、カウント値Ｃ１の出力は行なわれない。
最大値検出回路(45)では、比較回路(42)から所定時間内に供給されるカウント値Ｃ１の中から最大値が検出される。ここで、一定の線速度で記録されたディスクでは再生位置によりディスクモータの回転速度が変化し、特にシーク動作時にはディスクモータの回転速度が大きく変動するため、該所定時間は、最長のマーク部或いはスペース部が出現する間隔の２倍以上の値に設定されることが好ましい。これによって、線速度が最適値の１／２倍に低下した場合であっても、最長のマーク部及びスペース部に対応するカウント値を最大値として確実に検出することが出来る。例えばＨＤ−ＤＶＤの場合、最長のマーク部或いはスペース部の長さが出現する時間間隔は“１１１６Ｔ”であるため、所定時間は“２２３２Ｔ”に設定される。
上述の如く、位相同期用二値化回路(３)から得られる二値化信号のパルス幅の最大値が検出されることとなり、検出された最大値は、図１に示すモータ制御回路(６)に供給されてモータの回転速度の制御に供される。
【００２５】
図３に示す例では、同図(ａ)の如くディスクに形成されている最短のマーク部で再生信号の振幅が低下して該再生信号が位相同期用スライスレベルＳＬ０を交差せず、同図(ｃ)の如く第１計数回路(41)から“１８”の値をとるカウント値Ｃ１が得られているが、このとき、同図(ｄ)の如く第２計数回路(44)からは“７”の値をとるカウント値Ｃ２が得られており、これらのカウント値Ｃ１、Ｃ２の差は１以上であるので、“１８”の値をとるカウント値Ｃ１は比較回路(42)から最大値検出回路(45)に出力されない。
これに対し、同図(ｃ)の如く第１計数回路(41)から“１３”の値をとるカウント値Ｃ１が得られたときには、同図(ｄ)の如く第２計数回路(44)から“１２”の値をとるカウント値Ｃ２が得られており、これらのカウント値Ｃ１、Ｃ２の差は１であるので、“１３”の値をとるカウント値Ｃ１は、比較回路(42)から最大値検出回路(45)に出力される。
【００２６】
本実施例のディスク再生装置においては、上述の如く、ディスクに形成されている最短のマーク部或いはスペース部で再生信号が位相同期用スライスレベルＳＬ０を交差しない事態が発生した場合、そのときに第１計数回路(41)から得られたカウント値Ｃ１は、最大値検出処理の対象とされないので、該カウント値が最大値として検出されることはなく、最長のマーク部或いはスペース部に対応するカウント値を最大値として検出することが出来る。これによって、記録密度の高いディスクであっても、再生信号を周波数引込み及び位相同期の確立が可能な範囲内に設定することが出来、正常に再生を行なうことが出来る。
【００２７】
第２実施例
本実施例のディスク再生装置の構成は、パターン検出回路の構成を除いて、第１実施例と同一である。
図４は、本実施例のパターン検出回路(７)の構成を表わしており、位相同期用二値化回路(３)から得られる二値化信号は、第１計数回路(71)に入力される。第１計数回路(71)には、外部から図５(ｂ)に示す如く固定クロック周期Ｔのカウントクロックが供給され、該第１計数回路(71)では、該二値化信号のエッジ間で供給されるカウントクロック数がカウントされる。これによって、同図(ａ)(ｄ)に示す如く再生信号が位相同期用スライスレベルＳＬ０を交差する時点で、前記二値化信号のパルス幅に応じたカウント値Ｃ１が得られ、該カウント値Ｃ１は比較回路(72)に供給される。
【００２８】
又、光ピックアップからの再生信号が、パターン検出用第１二値化回路(73)に入力される。該パターン検出用第１二値化回路(73)においては、再生信号がパターン検出用第１スライスレベルＳＬ１と比較されて“０”及び“１”の値からなる二値化信号が生成される。ここで、該スライスレベルＳＬ１は、同図(ａ)に示す如く前記位相同期用スライスレベルＳＬ０よりも小さな値に設定されており、例えば、位相同期用スライスレベルＳＬ０と再生信号の最低レベルとの差の２５％だけ小さな値に設定される。
パターン検出用第１二値化回路(73)から得られる二値化信号は、第２計数回路(74)に供給される。第２計数回路(74)には、外部から図５(ｂ)に示す如く固定クロック周期Ｔのカウントクロックが供給され、該第２計数回路(74)では、該二値化信号のエッジ間で供給されるカウントクロック数がカウントされる。これによって、同図(ａ)(ｅ)に示す如く再生信号が前記パターン検出用第１スライスレベルＳＬ１を交差する時点で、前記二値化信号のパルス幅に応じたカウント値Ｃ２が得られ、該カウント値Ｃ２は前記比較回路(72)に供給される。
【００２９】
又、光ピックアップからの再生信号が、パターン検出用第２二値化回路(75)に入力される。該パターン検出用第２二値化回路(75)においては、再生信号がパターン検出用第２スライスレベルＳＬ２と比較されて“０”及び“１”の値からなる二値化信号が生成される。ここで、該スライスレベルＳＬ２は、同図(ａ)に示す如く前記位相同期用スライスレベルＳＬ０よりも大きな値に設定されており、例えば、位相同期用スライスレベルＳＬ０と再生信号の最大レベルとの差の２５％だけ大きな値に設定される。
パターン検出用第２二値化回路(75)から得られる二値化信号は、第３計数回路(76)に供給される。第３計数回路(76)には、外部から図５(ｂ)に示す如く固定クロック周期Ｔのカウントクロックが供給され、該第３計数回路(76)では、該二値化信号のエッジ間で供給されるカウントクロック数がカウントされる。これによって、同図(ａ)(ｃ)に示す如く再生信号が前記パターン検出用第２スライスレベルＳＬ２を交差する時点で、前記二値化信号のパルス幅に応じたカウント値Ｃ３が得られ、該カウント値Ｃ３は前記比較回路(72)に供給される。
【００３０】
比較回路(72)では、上述の如く第１乃至第３計数回路(71)(74)(76)から同じ時間帯に供給されるカウント値Ｃ１、Ｃ２、Ｃ３が比較される。例えば、第１計数回路(71)からのカウント値Ｃ１が得られた時点で、該カウント値Ｃ１が、その時点で第２計数回路(74)及び第３計数回路(76)から得られているカウント値Ｃ２、Ｃ３と比較される。
そして、第１計数回路(71)からのカウント値Ｃ１と第２計数回路(74)からのカウント値Ｃ２との差が所定値、例えば１以下であって、且つ第１計数回路(71)からのカウント値Ｃ１と第３計数回路(76)からのカウント値Ｃ３との差が前記所定値以下である場合に、第１計数回路(71)から供給されるカウント値Ｃ１が最大値検出回路(77)に出力される。一方、第１計数回路(71)からのカウント値Ｃ１と第２計数回路(74)からのカウント値Ｃ２との差が前記所定値を上回る場合、及び第１計数回路(71)からのカウント値Ｃ１と第３計数回路(76)からのカウント値Ｃ３との差が前記所定値を上回る場合には、第１計数回路(71)からのカウント値Ｃ１の出力は行なわれない。
最大値検出回路(77)では、前記比較回路(72)から所定時間内に供給されるカウント値Ｃ１の中から最大値が検出される。ここで、該所定時間は、第１実施例と同様に、最長のマーク部或いは最長のスペース部が出現する間隔の２倍以上の値に設定される。
上述の如く、位相同期用二値化回路(３)から得られる二値化信号のパルス幅の最大値が検出されることとなり、検出された最大値は、モータ制御回路に供給されてモータの回転の制御に供される。
【００３１】
本実施例のディスク再生装置においては、ディスクに形成されているマーク部で再生信号が位相同期用スライスレベルＳＬ０を交差しない事態が発生した場合、及びスペース部で再生信号が該スライスレベルＳＬ０を交差しない事態が発生した場合、そのときに第１計数回路(71)から得られたカウント値Ｃ１は、最大値検出処理の対象とされないので、該カウント値が最大値として検出されることはなく、最長のマーク部或いはスペース部に対応するカウント値を最大値として検出することが出来る。これによって、記録密度の高いディスクであっても、再生信号を周波数引込み及び位相同期の確立が可能な範囲内に設定することが出来、正常に再生を行なうことが出来る。
【００３２】
第３実施例
本実施例のディスク再生装置の構成は、パターン検出回路を除いて、第２実施例と同一であり、本実施例のパターン検出回路(８)は、図６に示す如く、再生信号の振幅を検出する振幅検出回路(83)を具えている。再生信号の振幅は、例えば、再生信号の上側のピーク値から下側のピーク値を減算することにより検出される。振幅検出回路(83)によって検出された振幅は、パターン検出用第１二値化回路(81)及びパターン検出用第２二値化回路(82)に供給され、これらの二値化回路(81)(82)はそれぞれ、供給された振幅に応じてパターン検出用第１スライスレベルＳＬ１及びパターン検出用第２スライスレベルＳＬ２を変化させる。これらのスライスレベルＳＬ１、ＳＬ２は、振幅が大きくなるにつれて位相同期用スライスレベルＳＬ０との差が大きくなる値に設定され、振幅が小さくなるにつれて位相同期用スライスレベルＳＬ０との差が小さくなる値に設定される。例えば、振幅に比例させて位相同期用スライスレベルＳＬ０との差を変化させる。
【００３３】
仮に、パターン検出用第１スライスレベルＳＬ１及びパターン検出用第２スライスレベルＳＬ２が再生信号の振幅に拘わらず一定であった場合、埃、傷、指紋等によって再生信号の振幅が低下したときに、第１計数回路(71)から得られるカウント値と、第２計数回路(74)及び第３計数回路(76)から得られるカウント値との差が大きくなるため、第１計数回路(71)から得られるカウント値が、最長のマーク部或いはスペース部に対応するカウント値であるにも拘わらず比較回路(72)から最大値検出回路(77)に出力されない事態が発生する。
これに対し、本実施例のディスク再生装置においては、再生信号の振幅に応じてパターン検出用第１スライスレベルＳＬ１及びパターン検出用第２スライスレベルＳＬ２を変化させるので、上記事態の発生を防止することが出来、最長マーク部或いはスペース部に対応するカウント値を最大値として検出することが出来る。
【００３４】
第４実施例
本実施例のディスク再生装置の構成は、パターン検出回路を除いて、第２実施例と同一であり、本実施例のパターン検出回路(９)は、図７に示す如く、再生信号の下側のピーク値を検出する下側ピーク値検出回路(92)と、再生信号の上側のピーク値を検出する上側ピーク値検出回路(94)とを具えている。
下側ピーク値検出回路(92)によって検出された下側ピーク値は、パターン検出用第１二値化回路(91)に供給される一方、上側ピーク値検出回路(94)によって検出された上側ピーク値は、パターン検出用第２二値化回路(93)に供給される。
【００３５】
図８は、再生信号の波形の一例を表わしている。尚、図８に示す下側包絡線は、下側ピーク値検出回路(92)により所定の時定数でピークホールドを行なったものであり、上側包絡線は、上側ピーク値検出回路(94)により所定の時定数でボトムホールドを行なったものである。
パターン検出用第１二値化回路(91)は、位相同期用スライスレベルＳＬ０から上述の如く供給された下側ピーク値を減算して該スライスレベルＳＬ０よりも下側の振幅ａを算出した後、該振幅ａに係数ｎ(０＜ｎ＜１)を乗算し、位相同期用スライスレベルＳＬ０から該乗算結果を減算してパターン検出用第１スライスレベルＳＬ１を算出する。
一方、パターン検出用第２二値化回路(93)は、上述の如く供給された上側ピーク値から位相同期用スライスレベルＳＬ０を減算して該スライスレベルＳＬ０よりも上側の振幅ｂを算出した後、該振幅ｂに係数ｍ(０＜ｍ＜１)を乗算し、位相同期用スライスレベルＳＬ０に該乗算結果を加算してパターン検出用第２スライスレベルＳＬ２を算出する。
パターン検出用第１スライスレベルＳＬ１及びパターン検出用第２スライスレベルＳＬ２と位相同期用スライスレベルＳＬ０との差が大きくなるにつれて、第２計数回路(74)及び第３計数回路(76)から得られるカウント値と第１計数回路(71)から得られるカウント値との差が大きくなるので、上記の係数ｎ、ｍは、０.２５以下の値に設定することが望ましい。
【００３６】
本実施例のディスク再生装置においては、再生信号の位相同期用スライスレベルＳＬ０よりも下側の振幅ａに応じてパターン検出用第１スライスレベルＳＬ１を変化させると共に、上側の振幅ｂに応じてパターン検出用第２スライスレベルＳＬ２を変化させるので、第３実施例と同様に、再生信号の振幅が低下した場合であっても、最長のマーク部或いはスペース部に対応するカウント値を最大値として検出することが出来る。
【００３７】
尚、本発明の各部構成は上記実施の形態に限らず、特許請求の範囲に記載の技術的範囲内で種々の変形が可能である。
例えば、第１乃至第４実施例においては、図１に示すディスクモータ(60)の回転速度を制御することによって、再生信号の周波数を周波数引込み及び位相同期の確立が可能な範囲内に設定しているが、パターン検出回路(４)によって検出された最大値が同期クロックの所定クロック数と一致する様に、位相同期回路(５)を構成するＶＣＯ(図示省略)の周波数を制御することも可能である。
又、二値化信号のパルス幅の最大値を検出し、検出した最大値に基づいてディスクモータ(60)の回転速度を制御しているが、二値化信号のパルス幅の最小値を検出し、検出した最小値に基づいてディスクモータ(60)の回転速度を制御することも可能である。
【００３８】
又、最大値検出回路(45)(77)を、検出した最大カウント値と該最大カウント値の次に第１計数回路(41)(71)から得られるカウント値とを比較し、該比較結果に応じて該最大カウント値をモータ制御回路(５)に出力する構成とすることも可能である。例えば、ＨＤ−ＤＶＤの場合、最長のマーク部或いはスペース部の長さは“１３Ｔ”で表わされ、最長のマーク部或いはスペース部の次のマーク部或いはスペース部の長さは“３Ｔ”であることが規定されているため、検出した最大カウント値と次に第１計数回路(41)(71)から得られたカウント値との比率が“４”(≒１３Ｔ／３Ｔ)以下である場合には、該最大カウント値を出力する一方、“４”を上回る場合には、該最大カウント値の出力を行なわない。これによって、最長のマーク部或いはスペース部に対応するカウント値の誤検出を防止することが出来る。
【００３９】
又、図１に示す位相同期用二値化回路(３)の前段にＡ／Ｄ変換回路を設けて、ディスク(１)から再生された信号をデジタル信号に変換した後、位相同期用二値化回路(３)及びパターン検出回路(４)に供給する構成を採用することも可能である。該構成によれば、回路のオフセット等の影響を受けることがないため、最長のマーク部或いはスペース部に対応するカウント値の誤検出を防止することが出来る。
更に又、図１に示す位相同期用二値化回路(３)の前段にイコライザ回路を設けて、ディスク(１)から再生された信号に対して高周波数帯域を強調する処理を施し、これによって得られる信号を位相同期用二値化回路(３)及びパターン検出回路(４)に供給する構成を採用することも可能である。該構成によれば、最短のマーク部及びスペース部での再生信号の振幅が増大するため、該マーク部及びスペース部で再生信号が位相同期用スライスレベルを交差しない事態の可能性を低下させることが出来る。
【００４０】
更に、第１実施例においては、再生信号の振幅を検出する振幅検出回路を設けて、検出された振幅に応じてパターン検出用スライスレベルＳＬ１を変化させることも可能である。
更に又、第２乃至第４実施例においては、位相同期用スライスレベルＳＬ０との差が等しくなる様に、パターン検出用第１スライスレベルＳＬ１及びパターン検出用第２スライスレベルＳＬ２を設定することも可能である。
【図面の簡単な説明】
【００４１】
【図１】本発明に係るディスク再生装置の構成を表わすブロック図である。
【図２】第１実施例のパターン検出回路の構成を表わすブロック図である。
【図３】第１実施例のディスク再生装置において得られる各種信号の波形図である。
【図４】第２実施例のパターン検出回路の構成を表わすブロック図である。
【図５】第２実施例のディスク再生装置において得られる各種信号の波形図である。
【図６】第３実施例のパターン検出回路の構成を表わすブロック図である。
【図７】第４実施例のパターン検出回路の構成を表わすブロック図である。
【図８】再生信号の波形図である。
【図９】従来のディスク再生装置の構成を表わすブロック図である。
【図１０】二値化回路の構成を表わす回路図である。
【図１１】従来のパターン検出回路の構成を表わすブロック図である。
【図１２】従来のディスク再生装置において得られる各種信号の波形図である。
【図１３】空間周波数と信号振幅の関係を表わすグラフである。
【図１４】従来の問題点を説明するための各種信号の波形図である。
【符号の説明】
【００４２】
(１)  ディスク
(２)  光ピックアップ
(３)  位相同期用二値化回路
(４)  パターン検出回路
(41)  第１計数回路
(42)  比較回路
(43)  パターン検出用二値化回路
(44)  第２計数回路
(45)  最大値検出回路
(５)  位相同期回路
(６)  モータ制御回路
(60)  ディスクモータ
【図１】
2006302336.tif 000003
【図２】
2006302336.tif 000004
【図３】
2006302336.tif 000005
【図４】
2006302336.tif 000006
【図５】
2006302336.tif 000007
【図６】
2006302336.tif 000008
【図７】
2006302336.tif 000009
【図８】
2006302336.tif 000010
【図９】
2006302336.tif 000011
【図１０】
2006302336.tif 000012
【図１１】
2006302336.tif 000013
【図１２】
2006302336.tif 000014
【図１３】
2006302336.tif 000015
【図１４】
2006302336.tif 000016